(57)【要約】      （修正有）【課題】簡単安価な構造で一体型電源コードとインレット型電源コードとの両方を選択して取り付け可とした薄型表示装置を提供する。【解決手段】スタンド上に連結金具２を介して薄型表示部が固定され、該薄型表示部及び連結金具２にキャビネットが被せられ、コード外周面の途中に係合突起部５を一体突設した一体型電源コードＡＣ１または互いに着脱可能に嵌合する雌部７ａ及び雄部７ｂからなるインレット７を途中に介在させたインレット型電源コードＡＣ２が前記薄型表示部に接続された薄型表示装置において、前記連結金具２に共通ホルダ１０が一体形成され、前記係合突起部５及びインレット７の雌部７ａにそれぞれ支持部材１１，１２が取り付けられており、その支持部材１１，１２を介して係合突起部５またはインレット７の雌部７ａを共通ホルダ１０に係止する。【選択図】図１
2010250221.tif 000002
【特許請求の範囲】
【請求項１】
スタンド上に連結金具を介して薄型表示部が固定され、該薄型表示部及び連結金具にキ
ャビネットが被せられ、コード外周面の途中に係合突起部を一体突設した一体型電源コー
ドまたは互いに着脱可能に嵌合する雌部及び雄部からなるインレットを途中に介在させた
インレット型電源コードが前記薄型表示部に接続された薄型表示装置において、前記キャ
ビネット内に共通ホルダが配置され、前記係合突起部及びインレットの雌部にそれぞれ支
持部材が取り付けられており、その支持部材を介して係合突起部またはインレットの雌部
を共通ホルダに係止するようにしたことを特徴とする薄型表示装置。
【請求項２】
前記共通ホルダの中央にホルダ孔が貫設されると共に、該共通ホルダを横断してホルダ
孔に連通するホルダ出入口が形成されており、前記一体型電源コードまたはインレット型
電源コードの雌部に接続した基端側コード部をホルダ出入口からホルダ孔内に嵌入させる
ようにしたことを特徴とする請求項１に記載の薄型表示装置。
【請求項３】
前記係合突起部に取り付けられる支持部材に一対のフック部が一体突設されており、該
両フック部をホルダ孔の内周縁に係合させることにより、係合突起部を共通ホルダに係止
するようにしたことを特徴とする請求項２に記載の薄型表示装置。
【請求項４】
前記雌部に取り付けられる支持部材が、共通ホルダ上に載置される支持プレートを有し
、該支持プレートの中央に貫設した係止孔に前記雌部が係止され、支持プレートの下端縁
から下方に向かって略Ｌ字状に折れ曲がって延びる引掛片が設けられると共に、該支持プ
レートの上端縁から上方に延びる延長板にビス挿通孔が貫設され、前記支持プレートの側
縁から共通ホルダの側縁に沿って直角に折れ曲がる位置決め用側板が設けられており、引
掛片をホルダ孔の下端縁に係合させ、ビスをビス挿通孔から共通ホルダのビス孔にねじ込
むことにより、雌部を共通ホルダに係止するようにしたことを特徴とする請求項２に記載
の薄型表示装置。
【請求項５】
前記共通ホルダが前記連結金具に一体突設されていることを特徴とする請求項１〜４の
いずれかに記載の薄型表示装置。
【発明の詳細な説明】
【技術分野】
【０００１】
本発明は、例えば液晶テレビなどの薄型表示装置に関し、特に、簡単安価な構造で一体
型電源コードとインレット型電源コードとの両方を選択して取り付けることができるよう
にしたものである。
【背景技術】
【０００２】
従来、薄型表示装置の一例として図９（ａ）（ｂ）の背面図に示すものがあり、これは
液晶テレビであって、スタンド１上に連結金具２を介して液晶モジュ−ル（薄型表示部）
３が固定され、該液晶モジュ−ル３及び連結金具２にキャビネット４が被せられており、
液晶モジュ−ル３の制御基板に接続した一体型電源コードＡＣ１〔図９（ａ）〕またはイ
ンレット型電源コードＡＣ２〔図９（ｂ）〕をキャビネット４の後方に延ばしている。
【０００３】
図９（ａ）に示すように、前記一体型電源コードＡＣ１は、コード外周面に係合突起部
５を一体突設したものであって、該係合突起部５をキャビネット４に一体形成したホルダ
６に着脱可能に係止している。
【０００４】
図９（ｂ）示すように、前記インレット型電源コードＡＣ２は、互いに着脱可能に嵌合
する雌部７ａ及び雄部７ｂからなるインレット７を途中に介在させたものであって、雌部
７ａをキャビネット４内のホルダ８に係止している。なお、関連する技術として特許文献
１に記載したものがある。
【先行技術文献】
【特許文献】
【０００５】
【特許文献１】特開平６−３１０８７８号公報
【発明の概要】
【発明が解決しようとする課題】
【０００６】
上記従来の構成では、一体型電源コードＡＣ１とインレット型電源コードＡＣ２とを取
り付けるための取付構造が異なっており、その取付構造の異なる二種類の液晶テレビを製
作しているため、コストアップになると共に、組立作業に手間がかかって面倒である。
【０００７】
本発明は、上記従来の欠点に鑑み、簡単安価な構造で一体型電源コードとインレット型
電源コードとの両方を選択して取り付けることができるようにした薄型表示装置を提供す
ることを目的としている。
【課題を解決するための手段】
【０００８】
上記目的を達成するため、請求項１に記載の発明は、スタンド上に連結金具を介して薄
型表示部が固定され、該薄型表示部及び連結金具にキャビネットが被せられ、コード外周
面の途中に係合突起部を一体突設した一体型電源コードまたは互いに着脱可能に嵌合する
雌部及び雄部からなるインレットを途中に介在させたインレット型電源コードが前記薄型
表示部に接続された薄型表示装置において、前記キャビネット内に共通ホルダが配置され
、前記係合突起部及びインレットの雌部にそれぞれ支持部材が取り付けられており、その
支持部材を介して係合突起部またはインレットの雌部を共通ホルダに係止するようにした
ことを特徴としている。
【０００９】
請求項２に記載の発明は、請求項１に記載の発明において、前記共通ホルダの中央にホ
ルダ孔が貫設されると共に、該共通ホルダを横断してホルダ孔に連通するホルダ出入口が
形成されており、前記一体型電源コードまたはインレット型電源コードの雌部に接続した
基端側コード部をホルダ出入口からホルダ孔内に嵌入させるようにしたことを特徴として
いる。
【００１０】
請求項３に記載の発明は、請求項２に記載の発明において、前記係合突起部に取り付け
られる支持部材に一対のフック部が一体突設されており、該両フック部をホルダ孔の内周
縁に係合させることにより、係合突起部を共通ホルダに係止するようにしたことを特徴と
している。
【００１１】
請求項４に記載の発明は、請求項２に記載の発明において、前記雌部に取り付けられる
支持部材が、共通ホルダ上に載置される支持プレートを有し、該支持プレートの中央に貫
設した係止孔に前記雌部が係止され、支持プレートの下端縁から下方に向かって略Ｌ字状
に折れ曲がって延びる引掛片が設けられると共に、該支持プレートの上端縁から上方に延
びる延長板にビス挿通孔が貫設され、前記支持プレートの側縁から共通ホルダの側縁に沿
って直角に折れ曲がる位置決め用側板が設けられており、引掛片をホルダ孔の下端縁に係
合させ、ビスをビス挿通孔から共通ホルダのビス孔にねじ込むことにより、雌部を共通ホ
ルダに係止するようにしたことを特徴としている。
【００１２】
請求項５に記載の発明は、請求項１〜４のいずれかに記載の発明において、前記共通ホ
ルダが前記連結金具に一体突設されていることを特徴としている。
【発明の効果】
【００１３】
請求項１に記載の発明によれば、一体型電源コードとインレット型電源コードとの両方
を選択して共通ホルダに取り付けるようになっており、その共通ホルダが一種類だけでよ
いから、従来に比べて構造簡単であり、コストダウンを図ることができる。
【００１４】
請求項２に記載の発明によれば、一体型電源コードまたはインレット型電源コードの雌
部に接続した基端側コード部を共通ホルダのホルダ出入口からホルダ孔内に嵌入させるこ
とにより、そのホルダ孔に対して各コードを迅速容易に挿通することができる。
【００１５】
請求項３に記載の発明によれば、一体型電源コードの係合突起部に取り付けた支持部材
を共通ホルダに向けて押し付けて該支持部材の両フック部をホルダ孔の内周縁に係合させ
るだけで、一体型電源コードを共通ホルダに確実に係止することができる。
【００１６】
請求項４に記載の発明によれば、インレット型電源コードの雌部に取り付けた支持部材
の引掛片をホルダ孔の下端縁に係合させ、側板を共通ホルダの側縁に沿わせるだけで、ビ
ス挿通孔をビス孔に位置決めすることができ、そのビス挿通孔からビス孔にビスをねじ込
むことにより、インレット型電源コードを共通ホルダに確実に係止することができる。
【００１７】
請求項５に記載の発明によれば、既存の連結金具を利用して共通ホルダが形成されてお
り、部品点数が増加していないから、経済性に優れている。
【図面の簡単な説明】
【００１８】
【図１】本発明の実施の一形態である薄型表示装置の要部の分解斜視図である。
【図２】同薄型表示装置の下部の縦断面図である。
【図３】同一体型電源コードの取付状態を示す裏面側斜視図である。
【図４】同縦断面図である。
【図５】（ａ）は同一体型電源コードの取付状態を示す正面図、（ｂ）はＡ−Ａ矢視図、（ｃ）はＢ−Ｂ矢視図である。
【図６】同インレット型電源コードの取付状態を示す裏面側斜視図である。
【図７】同縦断面図である。
【図８】（ａ）は同インレット型電源コードの取付状態を示す正面図、（ｂ）はＣ−Ｃ矢視図、（ｃ）はＤ−Ｄ矢視図である。
【図９】（ａ）は従来の一体型電源コード付き薄型表示装置の背面図、（ｂ）は同インレット型電源コード付き薄型表示装置の背面図である。
【発明を実施するための形態】
【００１９】
図１及び図２は本発明の実施の一形態である薄型表示装置の要部を示すものであり、こ
れは液晶テレビであって、スタンド１と液晶モジュ−ル（薄型表示部）３とを連結する連
結金具２に共通ホルダ１０が一体突設され、一体型電源コードＡＣ１の係合突起部５及び
インレット型電源コードＡＣ２におけるインレット７の雌部７ａにそれぞれ支持部材１１
，１２が取り付けられており、その支持部材１１，１２を介して係合突起部５またはイン
レット７の雌部７ａを共通ホルダ１０に係止する。上記以外の構成は図９（ａ）（ｂ）に
示す構成とほぼ同じであるから、同一部分に同一符号を付してその説明を省略する。
【００２０】
図２に示すように、キャビネット４は、互いに嵌合するフロントキャビネット４Ａとリ
アキャビネット４Ｂとからなり、また、前記スタンド１は、広幅平板状基台部１ａ及び該
基台部１ａ上に一体突設した起立部１ｂからなる合成樹脂製スタンドカバー１Ａと、該ス
タンドカバー１Ａ内に固着された鋼板製スタンド芯材１Ｂとからなっている。
【００２１】
図１及び図２に示すように、前記連結金具２が、鋼板からなり、起立する金具本体２ａ
と、該金具本体２ａの両側縁から直角に折り曲げた左右一対の側板２ｂと、金具本体２ａ
の下端縁及び両側板２ｂの下端縁から直角に折り曲げた３枚の底板２ｃとを有し、該各底
板２ｃのねじ孔１３にリアキャビネット４Ｂの底板部及びスタンド芯材１Ｂの上端部を貫
通してビス１４をねじ込むことにより、連結金具２にスタンド１が連結されている。
【００２２】
図１及び図２に示すように、金具本体２ａの上部の複数の貫通孔１５を通ってビス１６
が液晶モジュ−ル３のベゼル３ａのねじ孔やフロントキャビネット４Ａのボス部４ａのね
じ孔にねじ込まれることにより、液晶モジュ−ル３に連結金具２が連結されている。
【００２３】
図１及び図２に示すように、金具本体２ａの下部両側に逆Ｕ字状の切欠きを形成するこ
とにより切り残した左右一対の舌片１７が前方に向けて略Ｌ字状に折り曲げられており、
該各舌片１７にフロントキャビネット４Ａのボス部４ｂ及びリアキャビネット４Ｂのボス
部４ｃを当接させ、ビス１８をボス部４ｃ側から各舌片１７の貫通孔１７ａを通ってボス
部４ｂのねじ孔にねじ込むことにより、フロントキャビネット４Ａとリアキャビネット４
Ｂとが一体的に連結されている。
【００２４】
図１に示すように、前記共通ホルダ１０は、一方の側板２ｂから外側に折り曲げられて
下向きに傾斜され、該共通ホルダ１０の中央に四角形状のホルダ孔２０が貫設されると共
に、その共通ホルダ１０を横断してホルダ孔２０に連通するホルダ出入口２１が形成され
ており、一体型電源コードＡＣ１またはインレット型電源コードＡＣ２の雌部７ａに接続
した基端側コード部ＡＣ２ａをホルダ出入口２１からホルダ孔２０内に嵌入させることに
より、そのホルダ孔２０に対して各コードＡＣ１，ＡＣ２を迅速容易に挿通することがで
きる。
【００２５】
また、共通ホルダ１０の上端縁から折れ曲がって上方に延びる延長片１０ａにビス孔２
２が形成されている。なお、共通ホルダ１０に対向してリアキャビネット４Ｂにコード挿
通孔２３が貫設されている（図３参照）。
【００２６】
上記構成によれば、液晶テレビに共通ホルダ１０を介して一体型電源コードＡＣ１とイ
ンレット型電源コードＡＣ２との両方を選択して取り付けるようになっており、その共通
ホルダ１０が一種類だけでよいから、従来に比べて構造簡単であり、コストダウンを図る
ことができる。
【００２７】
また、既存の連結金具２を利用して共通ホルダ１０が形成されており、部品点数が増加
していないから、経済性に優れている。
【００２８】
図３〜図５に示すように、一体型電源コードＡＣ１用支持部材１１は、合成樹脂材から
なり、共通ホルダ１０上に載置される支持プレート１１ａと、該支持プレート１１ａの裏
面に一体突設されてホルダ孔２０に挿入される本体１１ｂとからなり、その支持プレート
１１ａ及び本体１１ｂの側面に凹部２５が形成されると共に、該凹部２５の内側面に嵌合
溝２６が形成されており、その嵌合溝２６を係合突起部５の鍔部５ａに合わせて凹部２５
を係合突起部５に嵌合させることにより、その係合突起部５に支持部材１１が取り付けら
れている。
【００２９】
図４及び図５に示すように、ホルダ孔２０の内周縁に対向して支持プレート１１ａの裏
面に一対のフック部２７が一体突設されている。
【００３０】
一体型電源コードＡＣ１の取付手順を説明すると、図５（ｃ）に示すように、一体型電
源コードＡＣ１の係合突起部５に支持部材１１を取り付けた状態（図１参照）で、該一体
型電源コードＡＣ１をホルダ出入口２１からホルダ孔２０内に挿入すると共に、本体１１
ｂをホルダ孔２０内に挿入し、支持プレート１１ａを共通ホルダ１０に向けて押圧するこ
とにより、両フック部２７をホルダ孔２０の内周縁に係合させる。
【００３１】
上記構成によれば、支持部材１１の両フック部２７をホルダ孔２０の内周縁に係合させ
るだけで、一体型電源コードＡＣ１を共通ホルダ１０に確実に係止することができる。
【００３２】
図６〜図８に示すように、インレット型電源コードＡＣ２用支持部材１２は、金属板か
らなり、共通ホルダ１０上に載置される支持プレート１２ａを有し、該支持プレート１２
ａの中央に貫設した係止孔２９にインレット７の雌部７ａが係止されてる。また、支持プ
レート１２ａの下端縁から下方に向かって略Ｌ字状に折れ曲がって延びる引掛片１２ｂが
設けられると共に、該支持プレート１２ａの上端縁から延長片１０ａに沿って上方に折れ
曲がって延びる延長板１２ｃが設けられ、該延長板１２ｃにはビス孔２２と同心状にビス
挿通孔２８（図１参照）が貫設され、前記支持プレート１２ａの側縁から共通ホルダ１０
の側縁に沿って直角に折れ曲がる位置決め用側板１２ｄが設けられている。
【００３３】
インレット型電源コードＡＣ２の取付手順を説明すると、図８（ｃ）に示すように、イ
ンレット型電源コードＡＣ２の雌部７ａに支持部材１２を取り付けた状態（図１参照）で
、基端側コード部ＡＣ２ａをホルダ出入口２１からホルダ孔２０内に挿入すると共に、雌
部７ａをホルダ孔２０内に挿入し、引掛片１２ｂをホルダ孔２０の下端縁に係合させ、ビ
ス３０をビス挿通孔２８からビス孔２２にねじ込むことにより、共通ホルダ１０に支持部
材１２を介して雌部７ａを係止する。その雌部７ａには雄部７ｂが差し込まれる。
【００３４】
上記構成によれば、引掛片１２ｂをホルダ孔２０の下端縁に係合させ、側板１２ｄを共
通ホルダ１０の側縁に沿わせるだけで、ビス挿通孔２８をビス孔２２に位置決めすること
ができ、そのビス挿通孔２８からビス孔２２にビス３０をねじ込むことにより、インレッ
ト型電源コードＡＣ２を共通ホルダ１０に確実に係止することができる。
【産業上の利用可能性】
【００３５】
上記の実施の形態では、液晶テレビを例にあげて説明したが、これに限定される分けで
はなく、例えば液晶モニターなどの各種薄型表示装置にも適用される。
【符号の説明】
【００３６】
１        スタンド
２        連結金具
３        液晶モジュ−ル（薄型表示部）
４        キャビネット
５        係合突起部
７        インレット
７ａ      インレットの雌部
７ｂ      インレットの雄部
１０      共通ホルダ
１１      支持部材
１２      支持部材
１２ａ    支持プレート
１２ｂ    引掛片
１２ｃ    延長板
１２ｄ    側板
２０      ホルダ孔
２１      ホルダ出入口
２２      ビス孔
２７      フック部
２８      ビス挿通孔
２９      係止孔
３０      ビス
ＡＣ１    一体型電源コード
ＡＣ２    インレット型電源コード
ＡＣ２ａ  基端側コード部
【図１】
2010250221.tif 000003
【図２】
2010250221.tif 000004
【図３】
2010250221.tif 000005
【図４】
2010250221.tif 000006
【図５】
2010250221.tif 000007
【図６】
2010250221.tif 000008
【図７】
2010250221.tif 000009
【図８】
2010250221.tif 000010
【図９】
2010250221.tif 000011